(57)【要約】      （修正有）【課題】電子装置を容易に、精確に制御する着用式リモコン装置及びリモコンアセンブリを提供する。【解決手段】本体部と、コントローラと、通信モジュールと、赤外線感応モジュールと、方向制御モジュールとを備える。コントローラは、通信モジュール、赤外線感応モジュール及び方向制御モジュールとそれぞれ電気的に接続される。本体部は、第一指サック及び第二指サックを含む。赤外線感応モジュール及び方向制御モジュールは第一指サック１１或いは第二指サック１２に設けられ、赤外線感応モジュールは、第一指サックの端部と第二指サックの端部とが閉じる又は分離する時の距離を測定し、方向制御モジュールは、第一指サックの端部と第二指サックの端部とが閉じた状態での相対的な変位及び方向を測定する。コントローラは、距離情報、変位情報及び方向情報に基づいて通信モジュールに制御指令を伝達する。通信モジュールは、制御指令を電子装置に送信する。【選択図】図３
2016127582.tif 000002
【特許請求の範囲】
【請求項１】
本体部と、コントローラと、通信モジュールと、赤外線感応モジュールと、方向制御モジュールと、を備える着用式リモコン装置であって、
前記コントローラは、前記通信モジュール、前記赤外線感応モジュール及び前記方向制御モジュールとそれぞれ電気的に接続され、前記本体部は、第一指サック及び第二指サックを含み、前記赤外線感応モジュール及び前記方向制御モジュールは、前記第一指サック或いは前記第二指サックに設けられ、
前記赤外線感応モジュールは、前記第一指サックの端部と前記第二指サックの端部とが相対的に閉じる又は分離する時の距離を測定し、且つ距離情報を出力し、前記方向制御モジュールは、前記第一指サックの端部と前記第二指サックの端部とが閉じた状態での相対的な変位及び方向を測定し、且つ変位情報及び方向情報を出力し、前記コントローラは、前記距離情報、前記変位情報及び前記方向情報に基づいて前記通信モジュールに対応する制御指令を送信し、前記通信モジュールは、前記制御指令を電子装置に伝送することを特徴とする着用式リモコン装置。
【請求項２】
前記赤外線感応モジュールは、前記第一指サックの端部に近接して設けられ、且つ互いに間隔をあけて設けられた三つの赤外線センサーを含み、
前記コントローラは、前記赤外線感応モジュールが出力した距離情報に基づいて、第一制御指令又は第二制御指令を生成し、且つ前記通信モジュールを介して前記第一制御指令又は前記第二制御指令を前記電子装置に伝送し、前記電子装置は、前記第一制御指令又は前記第二制御指令に応答して第一コントロール動作又は第二コントロール動作を実行することを特徴とする請求項１に記載の着用式リモコン装置。
【請求項３】
前記第一指サックと前記第二指サックとの間の距離が０より大きい場合、前記コントローラは前記第一制御指令を前記通信モジュールに送信し、
また、前記第一指サックと前記第二指サックとの間の距離が０である場合、前記コントローラは前記第二制御指令を前記通信モジュールに送信することを特徴とする請求項２に記載の着用式リモコン装置。
【請求項４】
前記方向制御モジュールは、前記第一指サックの端部に近接して設けられ、且つ互いに間隔をあけて設けられた三つの回転球を備え、
前記コントローラは、前記方向制御モジュールが出力した変位情報及び方向情報に基づいて第三制御指令を生成し、前記通信モジュールは、前記第三制御指令を前記電子装置に伝送し、前記電子装置は、前記第三制御指令に応答して第三コントロール動作を実行することを特徴とする請求項１に記載の着用式リモコン装置。
【請求項５】
前記方向制御モジュールは、指紋識別モジュールであり、前記指紋識別モジュールは、前記第一指サックの端部に近接して設けられ、前記第二指サックの端部には、ユーザの指紋を露出させるための開口が設けられ、
前記指紋識別モジュールは、前記指紋の前記第一指サックの前記端部に対する変位及び方向を識別することによって、変位情報及び方向情報を出力することを特徴とする請求項１に記載の着用式リモコン装置。
【請求項６】
バンドと、請求項１〜請求項５の何れか１項に記載の着用式リモコン装置と、を備えるリモコンアセンブリであって、
前記着用式リモコン装置は、前記バンドに電気的に接続されることを特徴とするリモコンアセンブリ。
【請求項７】
前記着用式リモコン装置は、太陽パネル及び電池をさらに備え、前記本体部は、主体部及び導通部をさらに含み、前記導通部は、前記主体部の一端に設けられ、前記電池は、前記導通部の内部に装着され、前記太陽パネルは、前記主体部に設けられ、且つ１つの充放電モジュールを介して前記電池に電気的に接続され、前記導通部の外面には、２つの金属電極が設けられ、前記２つの金属電極は、前記充放電モジュールを介して前記電池に電気的に接続されることを特徴とする請求項６に記載のリモコンアセンブリ。
【請求項８】
前記バンドには、２つの信号接点が設けられ、前記２つの信号接点は、前記バンドに内蔵された電源に電気的に接続され、且つ前記導通部の前記２つの金属電極とそれぞれ電気的に接続されることを特徴とする請求項７に記載のリモコンアセンブリ。
【請求項９】
前記着用式リモコン装置における前記２つの金属電極に近い側には、第一磁石が設けられ、前記バンドにおける前記２つの信号接点に近い側には、前記第一磁石の位置に対応して第二磁石が設けられ、前記第一磁石の磁極は、前記第二磁石の磁極と相反し、前記２つの金属電極と前記２つの信号接点は、前記第一磁石と前記第二磁石との磁力によって緊密に接触し、且つ電気的に導通することを特徴とする請求項８に記載のリモコンアセンブリ。
【請求項１０】
前記着用式リモコン装置及び前記バンドの中の電気エネルギーが高い方は、前記２つの金属電極及び前記２つの信号接点を介して、電気エネルギーを他方（電気エネルギーが低い方）に伝送することによって、前記着用式リモコン装置と前記バンドとの間の電気エネルギーを均一にさせることを特徴とする請求項９に記載のリモコンアセンブリ。
【発明の詳細な説明】
【技術分野】
【０００１】
本発明は、リモコン装置に関し、特に着用式リモコン装置及びこの着用式リモコン装置を備えるリモコンアセンブリに関するものである。
【背景技術】
【０００２】
近年、電子通信技術領域において、着用式電子装置の研究開発が盛んになっており、例えば、着用者の移動の追跡、生理状態の測定等様々な機能を有する着用式電子装置が次々に開発されている。これと同時に、着用式電子装置と携帯電話機、タブレットパソコン等の電子装置との間の通信モード及びインタラクティブ機能も益々多様化している。しかし、従来の着用式電子装置と電子装置との間のインタラクティブ方式は、殆んど単純な情報交換及びタッチ指令を伝送することを主とする。つまり、従来の着用式電子装置を利用して、電子装置に対して複雑で、且つ精確な操作／コントロールを行うことはできない。
【発明の概要】
【発明が解決しようとする課題】
【０００３】
本発明は、上記の問題点を考慮してなされたものであり、電子装置を容易で、且つ精確に制御することができる着用式リモコン装置及び当該リモコン装置を備えるリモコンアセンブリを提供することを目的とする。
【課題を解決するための手段】
【０００４】
上記の課題を解決するために、本発明に係る着用式リモコン装置は、本体部と、コントローラと、通信モジュールと、赤外線感応モジュールと、方向制御モジュールと、を備え、コントローラは、通信モジュール、赤外線感応モジュール及び方向制御モジュールとそれぞれ電気的に接続され、本体部は、第一指サック及び第二指サックを含み、赤外線感応モジュール及び方向制御モジュールは、第一指サック或いは第二指サックに設けられ、赤外線感応モジュールは、第一指サックの端部と第二指サックの端部とが相対的に閉じる又は分離する時の距離を測定し、且つ距離情報を出力し、方向制御モジュールは、第一指サックの端部と第二指サックの端部とが閉じた状態での相対的な変位及び方向を測定し、且つ変位情報及び方向情報を出力し、コントローラは、距離情報、変位情報及び方向情報に基づいて通信モジュールに対応する制御指令を送信し、通信モジュールは、制御指令を電子装置に伝送する。
【０００５】
また、上記の課題を解決するために、本発明に係るリモコンアセンブリは、バンド及び該バンドに電気的に接続された着用式リモコン装置を備え、着用式リモコン装置は、本体部と、コントローラと、通信モジュールと、赤外線感応モジュールと、方向制御モジュールと、を備え、コントローラは、通信モジュール、赤外線感応モジュール及び方向制御モジュールとそれぞれ電気的に接続され、本体部は、第一指サック及び第二指サックを含み、赤外線感応モジュール及び方向制御モジュールは、第一指サック或いは第二指サックに設けられ、赤外線感応モジュールは、第一指サックの端部と第二指サックの端部とが相対的に閉じる又は分離する時の距離を測定し、且つ距離情報を出力し、方向制御モジュールは、第一指サックの端部と第二指サックの端部とが閉じた状態での相対的な変位及び方向を測定し、且つ変位情報及び方向情報を出力し、コントローラは、距離情報、変位情報及び方向情報に基づいて通信モジュールに対応する制御指令を送信し、通信モジュールは、制御指令を電子装置に伝送する
【発明の効果】
【０００６】
従来の技術と異なり、本発明の着用式リモコン装置の手袋状の本体部には通信モジュール、赤外線感応モジュール及び方向制御モジュールが設けられているので、ユーザは、着用式リモコン装置を片方の手れば、片手で電子装置又はスマート家電を便利に遠隔操作できる。しかも、本発明は、太陽パネルを利用して着用式リモコン装置の電池を充電し、また、２つの金属電極を介してバンドと電気エネルギーを交換することによって、リモコンアセンブリの電量の持続時間を大きく延長することができる。
【図面の簡単な説明】
【０００７】
【図１】図１は本発明の実施形態に係る着用式リモコン装置の内部構造を示すブロック図である。
【図２】図２は図１に示した着用式リモコン装置を備えるリモコンアセンブリを示す図である。
【図３】図３は図２に示したリモコンアセンブリを別の視点から見た図である。
【図４】図４は図３に示したリモコンアセンブリの分解図である。
【発明を実施するための形態】
【０００８】
図１及び図２に示すように、本発明の実施形態に係るリモコンアセンブリ１は、携帯電話機、タブレットパソコン等の電子装置を遠隔操作するために用いられる。
【０００９】
リモコンアセンブリ１は、着用式リモコン装置１００及びバンド２００を備える。着用式リモコン装置１００は、本体部１０と、太陽パネル２０と、電池３０と、コントローラ４０と、通信モジュール５０と、赤外線感応モジュール６０と、方向制御モジュール７０と、を備える。太陽パネル２０、電池３０、コントローラ４０、通信モジュール５０、赤外線感応モジュール６０及び方向制御モジュール７０は、全て本体部１０に設けられている。太陽パネル２０は、１つの充放電モジュール３１を介して電池３０に電気的に接続されて、太陽エネルギーを電気エネルギーに変換した後、電池３０を充電する。コントローラ４０は、太陽パネル２０、電池３０、通信モジュール５０、赤外線感応モジュール６０及び方向制御モジュール７０とそれぞれ電気的に接続されて、太陽パネル２０及び電池３０から電気エネルギーを取得して、且つ赤外線感応モジュール６０及び方向制御モジュール７０が出力したデータに基づいて、通信モジュール５０と電子装置との通信を制御する。
【００１０】
図３を併せて参照すると、本体部１０は、手袋状を呈し、且つ第一指サック１１、第二指サック１２、主体部１３及び導通部１４を含む。本体部１０は、ユーザの手にはめて使用する。第一指サック１１は、ユーザの手の親指にマッチングし、第二指サック１２は、ユーザの手の人差し指にマッチングする。また、第一指サック１１及び第二指サック１２は、主体部１３と一体に連接されている。本体部１０は、第一指サック１１、第二指サック１２及び主体部１３を介して、ユーザの手を部分的に又は全体的に被覆する。太陽パネル２０は、フレキシブル材料により製造され、且つ主体部１３の背面（つまり手の甲側）に装着されて、太陽光を吸収して太陽エネルギーを電気エネルギーに変換した後、着用式リモコン装置１００及び電池３０に給電する。導通部１４は、主体部１３の一端に設けられ、且つその内部には電池３０が収容されている。充放電モジュール３１は、太陽パネル２０と電池３０との間で設けられている。導通部１４の側面には、ユニバーサルシリアルバス接続ポート１４１（以下、ＵＳＢ接続ポート１４１と略称する）が設けられており、該ＵＳＢ接続ポート１４１は、充放電モジュール３１に電気的に接続されている。ユーザは、電源プラグをＵＳＢ接続ポート１４１内に挿入することにより、電池３０を充電する。
【００１１】
コントローラ４０は、通信モジュール５０、赤外線感応モジュール６０及び方向制御モジュール７０の実行状態を制御する。本実施形態において、コントローラ４０は、赤外線感応モジュール６０及び方向制御モジュール７０が出力したデータに基づいて、対応する制御指令を生成し、且つ当該制御指令を通信モジュール５０に送信して、通信モジュール５０と前記電子装置との通信関係を確立する。
【００１２】
通信モジュール５０は、コントローラ４０が生成した制御指令を前記電子装置に伝送して、前記電子装置に対する遠隔操作を実現する。本実施形態において、通信モジュール５０は、ブルートゥース（登録商標）及びＷｉ−Ｆｉ（登録商標）等の無線通信モジュールである。
【００１３】
赤外線感応モジュール６０は、ほぼ第一指サック１１の端部に設けられ、且つ三つの赤外線センサー６１を備える。この三つの赤外線センサー６１は、逆「品」字を形成するように、互いに間隔をあけて設けられている。赤外線感応モジュール６０は、第一指サック１１の端部と第二指サック１２の端部とが相対的に閉じる又は分離する時の距離を測定する。着用式リモコン装置１００がユーザの手にはめられると、第一指サック１１及び第二指サック１２は、ユーザの親指及び人差し指の動きに連動して、互いに対して閉じる又は分離することができる。赤外線感応モジュール６０は、第一指サック１１の端部と第二指サック１２の端部との間の距離情報をコントローラ４０にフィードバックする。
【００１４】
第一指サック１１の端部と第二指サック１２との端部が互いに分離状態にある場合、赤外線感応モジュール６０により測定された第一指サック１１の端部と第二指サック１２の端部との間の距離は０より大きい。この場合、コントローラ４０は、この距離情報に基づいて通信モジュール５０に第一制御指令を送信して、通信モジュール５０を介して当該第一制御指令を電子装置まで伝送する。電子装置は、受信した第一制御指令に応答して、第一コントロール動作を実行する。本実施形態において、第一制御指令とは、電子装置の現在の表示画面を拡大させる又は縮小させる指令のことである。一方、第一指サック１１の端部と第二指サック１２の端部とが閉じた状態にあり、しかも完全に密着する場合、赤外線感応モジュール６０により測定された第一指サック１１の端部と第二指サック１２の端部との間の距離は０であり、コントローラ４０はこの距離情報に基づいて通信モジュール５０に第二制御指令を送信して、通信モジュール５０を介して当該第二制御指令を電子装置まで伝送する。電子装置は、受信した第二制御指令に応答して、第二コントロール動作を実行する。本実施形態において、第二制御指令とは、電子装置の現在の表示画面の中の１つのプログラムのウィンドウ又はファイルを選択する指令のことである。赤外線感応モジュール６０が第二指サック１２の端部を検出できない場合、電子装置は表示画面の拡大動作又は縮小動作を一時停止する。
【００１５】
方向制御モジュール７０は、第一指サック１１のほぼ端部に設けられ、且つ三つの回転球７１を備える。この三つの回転球７１は、「品」字を形成するように、互いに間隔をあけて三つの赤外線センサー６１の間に設けられている。方向制御モジュール７０は、第一指サック１１の端部と第二指サック１２の端部とが閉じた状態での相対的な変位及び方向を測定し、且つ変位情報及び方向情報を出力する。ユーザは、親指と人差し指とを密着させたまま親指と人差し指を移動させると、第一指サック１１の端部及び第二指サック１２の端部は連動して、両者の間の相対的な位置及び方向を変える。これにより、回転球７１は、ユーザの親指と人差し指との相対的な移動に伴って回転し、方向制御モジュール７０は、該回転球７１の回転方向に基づいて、第一指サック１１の端部と第二指サック１２の端部の変位情報及び方向情報を取得し、且つこの変位情報及び方向情報をコントローラ４０にフィードバックする。コントローラ４０は、変位情報及び方向情報に基づいて、通信モジュール５０に第三制御指令を送信して、通信モジュール５０を介してこの第三制御指令を電子装置まで伝送する。電子装置は、受信した第三制御指令に応答して、第三コントロール動作を実行する。本実施形態において、第三制御指令とは、電子装置の現在選択されているプログラムのウィンドウ又はファイルをドラッグして移動させ指令のことである。
【００１６】
変形例として、三つの回転球７１に替わって指紋識別モジュールを用いてもよい。具体的には、指紋識別モジュールを第一指サック１１の端部に設けると共に、第二指サック１２の端部に人差し指の指紋を露出させるための開口を設ける。指紋識別モジュールは、人差し指の指紋の第一指サック１１の端部に対する変位及び方向を識別することによって、ドラッグ方向を確定する。
【００１７】
また、変形例として、赤外線感応モジュール６０及び方向制御モジュール７０を全て第二指サック１２の端部に設けてもよい。
【００１８】
図４に示すように、着用式リモコン装置１００は、バンド２００と組み合せて機能して、バンド２００と互いに通信データ及び電気エネルギーを交換する。具体的に説明すると、バンド２００には、２つの信号接点２１０が設けられている。この２つの信号接点２１０は、それぞれバンド２００に内蔵された電源（図示せず）の正極及び負極に電気的に接続されている。また、導通部１４には、バンド２００の信号接点２１０に対応する２つの金属電極１４２が設けられており、これら２つの金属電極１４２は、充放電モジュール３１を介して電池３０の正極及び負極にそれぞれ電気的に接続される。また、着用式リモコン装置１００における２つの金属電極１４２に近い側には、第一磁石（図示せず）が設けられており、バンド２００における２つの信号接点２１０に近い側には、第一磁石の位置に対応して第二磁石（図示せず）が設けられている。第一磁石の磁極は、第二磁石の磁極と相反している。
【００１９】
着用式リモコン装置１００及びバンド２００がユーザの同じ手に同時にはめられた場合、第一磁石と第二磁石は異極であるため、相互に吸引されて引力を発生する。これにより、２つの金属電極１４２及び２つの信号接点２１０は、前記引力によって緊密に接触して、着用式リモコン装置１００とバンド２００との電気的な接続関係を確立する。着用式リモコン装置１００及びバンド２００の中のうち電気エネルギーが高い方は、２つの金属電極１４２及び２つの信号接点２１０を介して、自身の電気エネルギーを他方（つまり、電気エネルギーが低い方）に伝送して、着用式リモコン装置１００とバンド２００との間の電気エネルギーを均一にさせる。また、着用式リモコン装置１００は、同時に通信モジュール５０を介してバンド２００とワイヤレス通信することができる。
【００２０】
本発明に係るリモコンアセンブリ１は、テレビ、冷蔵庫及びエアコン等のスマート家電を遠隔操作することができる。
【００２１】
上記の記載から分かるように、本発明の着用式リモコン装置１００の手袋状の本体部１０には、通信モジュール５０、赤外線感応モジュール６０及び方向制御モジュール７０が設けられているので、ユーザは、着用式リモコン装置１００を片方の手にはめれば、片手で電子装置又はスマート家電を便利に遠隔操作することができる。しかも、本発明は、太陽パネル２０を利用して着用式リモコン装置１００の電池３０を充電し、また、２つの金属電極１４２を介してバンド２００と電気エネルギーを交換することによって、リモコンアセンブリ１の電量の持続時間を大きく延長することができる。
【符号の説明】
【００２２】
１  リモコンアセンブリ
１００  着用式リモコン装置
１０  本体部
１１  第一指サック
１２  第二指サック
１３  主体部
１４  導通部
１４１  ＵＳＢ接続ポート
１４２  金属電極
２０  太陽パネル
３０  電池
３１  充放電モジュール
４０  コントローラ
５０  通信モジュール
６０  赤外線感応モジュール
６１  赤外線センサー
７０  方向制御モジュール
７１  回転球
２００  バンド
２１０  信号接点
【図１】
2016127582.tif 000003
【図２】
2016127582.tif 000004
【図３】
2016127582.tif 000005
【図４】
2016127582.tif 000006